(57)【特許請求の範囲】
【請求項１】
容器本体の胴部を押圧することにより内容液を発泡させて吐出するスクイズフォーマ容器に用いられるスクイズフォーマ用ノズル付きキャップであって、
ノズル部が一体として設けられているキャップ本体と、該キャップ本体の内側に装着される泡形成パーツとを含んで構成されており、
該泡形成パーツは、前記キャップ本体の内側に装着された際に、前記キャップ本体の縦軸方向に沿った面に配置される上下２段のメッシュ部を備えると共に、上段メッシュ部と下段メッシュ部の前方に突出する台座部を備えており、
該泡形成パーツは、混合室から当該泡形成パーツに送られる内容液と空気との混合物を、前記台座部よりも下方の前面側から、前記下段メッシュ部を通過させて後面側に到らせた後に、前記台座部よりも上方の後面側から、前記上段メッシュ部を通過させることで発泡させた状態で、前記ノズル部に送り出して吐出させるようになっており、
前記キャップ本体は、装着スカート部と、該装着スカート部から上方に突出して設けられたパーツ装着部と、該パーツ装着部と隣接して前記装着スカート部から上方に立設して設けられた前記ノズル部とを含み、
前記ノズル部は、前記パーツ装着部に前記泡形成パーツを装着した状態で、前記台座部を覆って配置された折曲げヒンジ部の部分で前方に折り曲げられていることで、ノズル本体部を横方向に延設させて設けられているスクイズフォーマ用ノズル付きキャップ。
【請求項２】
前記泡形成パーツは、前後抜き可能な金型成形品となっている請求項１記載のスクイズフォーマ用ノズル付きキャップ。
【請求項３】
前記装着スカート部の前記パーツ装着部よりも前方側に、折り曲げられた前記ノズル部の下側外周面を当接させて前記ノズル部の折曲げ角度を規制する支持台部が設けられている請求項１又は２記載のスクイズフォーマ用ノズル付きキャップ。
【請求項４】
前記キャップ本体の内側に装着された前記泡形成パーツの下方に、チューブホルダーが取り付けられている請求項１〜３のいずれか１項記載のスクイズフォーマ用ノズル付きキャップ。
【請求項５】
前記泡形成パーツは、前記下段メッシュ部のメッシュ径よりも前記上段メッシュ部のメッシュ径の方が小さくなっている請求項１〜４のいずれか１項記載のスクイズフォーマ用ノズル付きキャップ。
【発明の詳細な説明】
【技術分野】
【０００１】
本発明は、スクイズフォーマ用ノズル付きキャップに関し、特に、容器本体の胴部を押圧することにより内容液を発泡させて吐出するスクイズフォーマ容器に用いられるスクイズフォーマ用ノズル付きキャップに関する。
【背景技術】
【０００２】
スクイズフォーマ容器は、内容液を収容した可撓性を有する容器本体の口首部に、内容液と空気とを混合する混合室と、メッシュからなる泡形成部材と、発泡させた内容液を吐出させるノズル部とを備えるキャップを装着して形成されるものである。スクイズフォーマ容器は、容器本体を押圧（スクイズ）することにより、容器本体の内部の内溶液と空気とを、混合室に送り込んで混合した状態で、泡形成部材を通過させることにより内容液を発泡させて、ノズル部から吐出させるようになっている（例えば、特許文献１参照）。
【０００３】
また、スクイズフォーマ容器は、発泡させた内容液の泡質を向上させるために、泡形成部材として、例えばメッシュ径の異なる複数のメッシュを用い、内溶液と空気との混合物を、メッシュ径の大きなメッシュを通過させて粗い泡を形成してから、さらにメッシュ径の小さなメッシュを通過させることで、きめの細かい均質且つ良質の泡を形成できるようにしたものも開発されている（例えば、特許文献２参照）。
【先行技術文献】
【特許文献】
【０００４】
【特許文献１】特開２０１１−５１６２２号公報
【特許文献２】特表２００７−５２８７８０号公報
【発明の概要】
【発明が解決しようとする課題】
【０００５】
しかしながら、特許文献２のスクイズフォーマ容器によれば、メッシュ径の異なる複数のメッシュが、別々の部材としてキャップに組み込まれるので、キャップの構成が複雑になると共に、キャップの組み立て工程も煩雑になる。
【０００６】
本発明は、メッシュ径の異なる複数のメッシュを、簡易な構成及び組み立て工程によって容易にキャップに組み込むことができると共に、泡質がコントロールされた良質の泡を安定した状態で形成することのできるスクイズフォーマ用ノズル付きキャップを提供することを目的とする。
【課題を解決するための手段】
【０００７】
本発明は、容器本体の胴部を押圧することにより内容液を発泡させて吐出するスクイズフォーマ容器に用いられるスクイズフォーマ用ノズル付きキャップであって、ノズル部が一体として成形されたキャップ本体と、該キャップ本体の内側に装着される泡形成パーツとを含んで構成されており、該泡形成パーツは、前記キャップ本体の内側に装着された際に、前記キャップ本体の縦軸方向に沿った面に配置される上下２段のメッシュ部を備えると共に、上段メッシュ部と下段メッシュ部の前方に突出する台座部を備えており、該泡形成パーツは、混合室から当該泡形成パーツに送られる内容液と空気との混合物を、前記台座部よりも下方の前面側から、前記下段メッシュ部を通過させて後面側に到らせた後に、前記台座部よりも上方の後面側から、前記上段メッシュ部を通過させることで発泡させた状態で、前記ノズル部に送り出して吐出させるスクイズフォーマ用ノズル付きキャップを提供することにより、上記目的を達成したものである。
【発明の効果】
【０００８】
本発明のスクイズフォーマ用ノズル付きキャップによれば、メッシュ径の異なる複数のメッシュを、簡易な構成及び組み立て工程によって容易にキャップに組み込むことができると共に、泡質がコントロールされた良質の泡を安定した状態で形成することができる。
【図面の簡単な説明】
【０００９】
【図１】本発明の好ましい一実施形態に係るスクイズフォーマ用ノズル付きキャップが取り付けられたスクイズフォーマ容器の側面図である。
【図２】本発明の好ましい一実施形態に係るスクイズフォーマ用ノズル付きキャップの断面図である。
【図３】（ａ）は泡形成パーツの斜視図、（ｂ）は（ａ）のＡ−Ａに沿った断面図である。
【図４】本発明の好ましい一実施形態に係るスクイズフォーマ用ノズル付きキャップの分解斜視図である。
【図５】本発明の好ましい一実施形態に係るスクイズフォーマ用ノズル付きキャップの分解断面図である。
【図６】（ａ）、（ｂ）は、ノズル部を折り曲げる状況を説明するスクイズフォーマ用ノズル付きキャップの断面図である。
【発明を実施するための形態】
【００１０】
本発明の好ましい一実施形態に係るスクイズフォーマ用ノズル付きキャップ１０は、図１及び図２に示すように、いわゆるスクイズフォーマ容器１１に取り付けて用いるノズル１６が設けられたキャップであって、従来のスクイズフォーマ用ノズル付きキャップと同様に、容器本体１２の口首部１２ａに装着されて、内容液を空気と混合した後に泡状にして吐出する機能を備える。本実施形態では、スクイズフォーマ容器１１は、可撓性を有する容器本体１２の胴部１２ｂを押圧（スクイズ）することにより、容器本体１２の内部の内溶液と空気とを混合室１８で混合させると共に、泡形成部材である泡形成パーツ１３（図２参照）を通過させることで発泡させて、内容液を泡としてノズル部１６から吐出できる。また、本実施形態のスクイズフォーマ用ノズル付きキャップ１０は、泡形成パーツ１３が、後述する所定の形状を有することで（図３（ａ）、（ｂ）参照）、ワンパーツの一体成形品として、メッシュ径の異なる複数のメッシュ部１４ａ，１４ｂをキャップの内部に容易に組み付けることを可能にする。さらに、本実施形態のスクイズフォーマ用ノズル付きキャップ１０は、ノズル部１６及び泡形成パーツ１３が、後述する所定の形状を有することで、ノズル本体部１６ｂが斜め下方に向けて横方向に延設するキャップ本体１７を、容易に形成できるようにする（図６（ａ）、（ｂ）参照）。
【００１１】
そして、本実施形態のスクイズフォーマ用ノズル付きキャップ１０は、図１及び図２に示すように、容器本体１２の胴部１２ｂを押圧することにより内容液を発泡させて吐出するスクイズフォーマ容器１１に用いられるキャップであって、ノズル部１６が一体として成形されたキャップ本体１７と、このキャップ本体１７の内側に装着される泡形成パーツ１３（図２参照）とを含んで構成される。泡形成パーツ１３は、図３（ａ）、（ｂ）にも示すように、キャップ本体１７の内側に装着された際に、キャップ本体１７の縦軸方向に沿った面に配置される上下２段のメッシュ部１４ａ，１４ｂを備えると共に、上段メッシュ部１４ａと下段メッシュ部１４ｂの前方に突出する台座部１５を備える。泡形成パーツ１３は、混合室１８から当該泡形成パーツ１３に送られる内容液と空気との混合物を、台座部１５よりも下方の前面側から、下段メッシュ部１４ｂを通過させて後面側に到らせた後に、台座部１５よりも上方の後面側から、上段メッシュ部１４ａを通過させることで発泡させた状態で、ノズル部１６に送り出して吐出させる（図２参照）。
【００１２】
また、本実施形態では、キャップ本体１７は、図４〜図６に示すように、装着スカート部１９と、この装着スカート部１９から上方に突出して設けられたパーツ装着部２０と、このパーツ装着部２０と隣接して装着スカート部１９から上方に立設して設けられたノズル部１６とを含み、好ましくは上下抜き可能な合成樹脂製の金型成形品として形成されている。ノズル部１６は、パーツ装着部２０に泡形成パーツ１３を装着した状態で（図６（ａ）参照）、台座部１５を覆って配置された折曲げヒンジ部１６ａの部分で前方に折り曲げられることで、ノズル本体部１６ｂを横方向に延設させて設けられている（図６（ｂ）参照）。
【００１３】
本実施形態では、キャップ本体１７は、上述のように、装着スカート部１９と、パーツ装着部２０と、ノズル部１６とからなる。装着スカート部１９は、図２、図４、及び図５に示すように、天面部１９ａの周縁部から円環状のスカート壁部１９ｂが下方に延設する有天円筒形状の部分である。スカート壁部１９ｂの内側面には、雌ネジ突条１９ｃが形成されている。この雌ネジ突条１９ｃを、容器本体１２の口首部１２ａの外周面に形成された雄ネジ突条（図示せず。）に螺着することで、キャップ本体１７が容器本体１２の口首部１２ａに着脱可能に一体として装着される。
【００１４】
パーツ装着部２０は、装着スカート部１９の天面部１９ａから上方に突出して設けられた、前面側が略垂直に切り取られた略半円柱形状の膨出部分である。本実施形態では、パーツ装着部２０の前面側の切取り面２０ｃの中央部分には、ノズル部１６の袋状に形成された折曲げヒンジ部１６ａが、一体として接合されている。パーツ装着部２０の内部には、このノズル部１６の袋状の折曲げヒンジ１６ａの中空内部と連続して、発泡した内溶液の縦方向流路を兼ねる、パーツ装着溝２０ａが形成されている。パーツ装着溝２０ａは、その上端部分をパーツ装着部２０の天面よりも上方に突出させて、位置決め凹部２０ｂを形成している。この位置決め凹部２０ｂに上端部分を押し込むようにして、泡形成パーツ１３をパーツ装着溝２０ａに装着することにより、泡形成パーツ１３が、キャップ本体１７の内部に安定した状態で位置決めされる（図２参照）。
【００１５】
ノズル部１６は、キャップ本体１７が成形された直後の状態では（図４、図５参照）、パーツ装着部２０の切取り面２０ｃと隣接して、装着スカート部１９の天面部１９ａから上方に立設して設けられた、細長い中空ロッド形状の部分である。本実施形態では、ノズル部１６は、パーツ装着部２０の切取り面２０ｃに接合される袋状の折曲げヒンジ部１６ａと、折り曲げる前の状態で、折曲げヒンジ部１６ａと連続して装着スカート部１９の天面部１９ａに対して垂直上方に延設する、略半円の中空断面形状を有するノズル本体部１６ｂとからなる。ノズル部１６は、キャップ本体１７が成形された直後の、装着スカート部１９の天面部１９ａに対してノズル本体部１６ｂが垂直上方に延設する状態から、例えば後述する泡形成パーツ１３や混合器２１やチューブホルダー２２をキャップ本体１７に一体として装着した後に、例えば折曲げヒンジ部１６ａを加熱して柔らかくしてから、当該折曲げヒンジ部１６ａを曲折部として、ノズル本体部１６ｂを下方に回転させるようにして折り曲げることにより、ノズル本体部１６ｂを、斜め下方に向けて横方向に延設させた状態で配置できるようになっている（図６（ａ）、（ｂ）参照）。
【００１６】
また、本実施形態では、装着スカート部１９の天面部１９ａにおける、パーツ装着部２０の切取り面２０ｃよりも前方側に配置されて、折り曲げられたノズル部１６のノズル本体部１６ｂの下側外周面を当接させることで、ノズル本体部１６ｂの折曲げ角度を規制する支持台部２３が設けられている。支持台部２３は、斜め下方に延設するノズル本体部１６ｂの折曲げ角度に応じた傾斜角度で、上面が前方に向けて斜め下方に傾斜している。また支持台部２３は、略半円の中空断面形状を有するノズル本体部１６ｂの円弧状に湾曲する下側外周面と対応する、湾曲凹面を上面に備えている。これらによって、折り曲げられたノズル部１６のノズル本体部１６ｂを、安定した状態で下方から支持することができる。
【００１７】
さらに、本実施形態では、装着スカート部１９の天面部１９ａの下面から下方に突出して、外側インナーリング部２４ａと、内側インナーリング部２４ｂとが、一体として形成されている。外側インナーリング部２４ａは、キャップ本体１７が容器本体１２の口首部１２ａに装着された際に、口首部１２ａの上端開口の開口内側面に密着することで、止水性を保持する。内側インナーリング部２４ｂは、後述するチューブホルダー２２の装着円筒壁２２ａの内側面を密着させた状態で、当該内側インナーリング部２４ｂを介して、チューブホルダー２２をキャップ本体１７に装着させる（図２参照）。また、内側インナーリング部２４ｂの内側領域は、チューブホルダー２２が内側インナーリング部２４ｂに装着された状態で、チューブホルダー２２に取り付けられた混合器２１と連通することで、混合器２１から送られる内溶液と空気との混合物を、下段メッシュ部１４ｂを通過させる前にさらに混合させる、混合室１８を形成する。
【００１８】
本実施形態によれば、キャップ本体１７は、上述の構成を備えることにより、ノズル部１６のノズル本体部１６ｂを装着スカート部１９の天面部１９ａに対して垂直に立設させた状態で、好ましくは上下抜き可能な金型成形品として容易に形成することができる。また、好ましくは折曲げヒンジ１６ａを加熱して柔らかくした状態で、ノズル本体部１６ａを折曲げヒンジ１６ａの部分で下方に回転させるようにして折り曲げることで、ノズル本体部１６ｂを、横方向に延設させて容易に配置することができる。
【００１９】
キャップ本体１７の内側に装着される泡形成パーツ１３は、本実施形態では、図３（ａ）、（ｂ）に拡大して示すように、上段メッシュ部１４ａと下段メッシュ部１４ｂとが、同じ面上に、又は平行な面上に配置されていることで、前後抜き可能な（図３の左右方向に抜くことが可能な）合成樹脂製の金型成形品となっている。泡形成パーツ１３が前後抜き可能な金型成形品となっていることで、上下２段のメッシュ部１４ａ，１４ｂを備える泡形成パーツ１３を、１パーツの部品として、精度良く、コンパクトに且つ容易に形成することが可能になると共に、各メッシュ部１４ａ，１４ｂのメッシュ径の大きさを、容易に調整することが可能になる。
【００２０】
ここで、本実施形態では、上段メッシュ部１４ａのメッシュ径が例えば１００〜３００μｍ、下段メッシュ部１４ｂのメッシュ径が例えば１００〜４００μｍとなっていると共に、下段メッシュ部１４ｂのメッシュ径よりも上段メッシュ部１４ａのメッシュ径の方が小さくなっている。これらによって、内溶液と空気との混合物を、下段メッシュ部１４ｂ及び上段メッシュ部１４ａを通過させながら、これらの混合物から、きめの細かい、均質且つ良質の泡を形成することが可能になる。
【００２１】
また、本実施形態では、泡形成パーツ１３は、一枚の縦長の略矩形形状のメッシュ形成板１３ａの上部及び下部に、上段メッシュ部１４ａ及び下段メッシュ部１４ｂが各々形成されていると共に、好ましくは上段メッシュ部１４ａと下段メッシュ部１４ｂとの間の中間部分から、台座部１５を前方に突出させた形状を有している。台座部１５は、本実施形態では、下段メッシュ部１４ｂの上方に隣接する位置から前方に張り出すようにして、その上面を、縦長の略矩形形状のメッシュ形成板１３ａの上下の短辺と平行に配置して設けられている。また台座部１５は、下段メッシュ部１４ｂの両側部の側方に配置されると共に、メッシュ形成板１３ａの両側の側縁部と台座部１５の両側の側縁部との間に各々介在して設けられた支持ブラケット部１３ｂによって、下方から強固に支持された状態で設けられている。
【００２２】
さらに、本実施形態では、泡形成パーツ１３に、縦長の略矩形形状のメッシュ形成板１３ａの周縁部から後方に突出して、矩形環状枠部１３ｃが一体として設けられている。また上段メッシュ部１４ａと下段メッシュ部１４ｂとの間の中間部分において、上段メッシュ部１４ａの下方に隣接する位置を横断して、中間補強枠部１３ｄが後方に突出して一体として設けられている。これらによって、泡形成パーツ１３は、その剛性を高めた状態で形成されている。
【００２３】
泡形成パーツ１３は、上述のように、キャップ本体１７の、発泡した内溶液の縦方向流路を兼ねるパーツ装着溝２０ａに、キャップ本体１７の下方から、上端部分を位置決め凹部２０ｂに押し込むようにしながら嵌め込むことにより、台座部１５の先端部分を折曲げヒンジ１６ａの中空内部に配置した状態で（図６（ａ）参照）、パーツ装着部２０に安定した状態で位置決めされて、キャップ本体１７に取り付けられる（図４、図５参照）。装着された泡形成パーツ１３の下方には、さらに、混合器２１が取り付けられたチューブホルダー２２が装着される。
【００２４】
チューブホルダー２２は、好ましくは上下抜き可能な合成樹脂製の金型成形品であって、図４及び図５に示すように、下部の縮径された円筒状部分であるチューブ装着部２２ｂと、上部の拡径された円筒状部分である装着円筒壁２２ａと、チューブ装着部２２ｂと装着円筒壁２２ａとの間の部分に配置された、２段円筒状部分である混合器装着部２２ｃとからなる。チューブ装着部２２ｂには、スクイズフォーマ容器１１の容器本体１２の底部まで延設する、ディップチューブ２５の上端部分が装着される。混合器装着部２２ｃには、混合器２１が装着される。チューブホルダー２２は、上述のように、装着円筒壁２２ａの内側面を、キャップ本体１７の装着スカート部１９の天面部１９ａから下方に突出する、内側インナーリング部２４ｂに密着させた状態で、当該装着円筒壁２２ａを介してキャップ本体１７に、下方から一体として取り付けられる（図２参照）。
【００２５】
混合器２１は、好ましくは上下抜き可能な合成樹脂製の金型成形品であって、上端周縁部から外側に円環状に張り出して設けられた、張出し係止部２１ａを備える。混合器２１は、本体部分を混合器装着部２２ｃの内部に収容すると共に、張出し係止部２１ａを装着円筒壁２２ａと混合器装着部２２ｃとの接合段差部に係止することで、チューブホルダー２２の内部に取り付けられる（図２参照）。混合器２１は、容器本体１２が押圧（スクイズ）されることによって、ディップチューブ２５を介して送られる容器本体１２の内部の内容液と、例えば装着円筒壁２２ａや混合器装着部２２ｃの壁面に形成された通気孔を介して送られる容器本体１２の内部の空気とを合流させることで初期混合させた状態で、内側インナーリング部２４ｂの内側領域の混合室１８に送り込むことによりさらに混合させる。またこれによって、容器本体１２を押圧した際の加圧力により、内容液と空気との混合物を、装着円筒壁２２ａの中空内部を経て、キャップ本体１７の縦方向流路を兼ねるパーツ装着溝２０ａに装着された泡形成パーツ１３に、向けて送り出すことが可能になる。
【００２６】
上述の構成を備える本実施形態のスクイズフォーマ用ノズル付きキャップ１０は、図１に示すように、容器本体１２の口首部１２ａに装着して用いられて、可撓性を有する容器本体１２の胴部１２ｂを押圧（スクイズ）することにより、容器本体１２の内部の内溶液と空気とを混合室１８で混合させることができる。また、図２に示すように、混合された内容液と空気との混合物を、泡形成パーツ１３において、台座部１５よりも下方の前面側から、下段メッシュ部１４ｂを通過させて後面側に到らせた後に、台座部１５よりも上方の後面側から、上段メッシュ部１４ａを通過させることで発泡させて、内容液を泡としてノズル部１６のノズル本体部１６ｂに送り出して、ノズル部１６から吐出させることができる。
【００２７】
そして、上述の構成を備える本実施形態のスクイズフォーマ用ノズル付きキャップ１０によれば、メッシュ径の異なる複数のメッシュを、簡易な構成及び組み立て工程によって容易にキャップに組み込むことが可能になると共に、泡質がコントロールされた良質の泡を安定した状態で形成することが可能になる。
【００２８】
すなわち、本実施形態のスクイズフォーマ用ノズル付きキャップ１０によれば、泡形成パーツ１３は、キャップ本体１７の内側に装着された際に、キャップ本体１７の縦軸方向に沿った面に配置される上下２段のメッシュ部１４ａ，１４ｂを一体として備えているので、好ましくは前後抜き可能な金型成形品として、上段メッシュ部１４ａと下段メッシュ部１４ｂによるメッシュ径の異なる複数のメッシュを、コンパクトな一体成形品である泡形成パーツ１３に、精度良く且つ容易に形成することが可能になる。またこのような簡易な構成の泡形成パーツ１３を、発泡した内溶液の縦方向流路を兼ねる、パーツ装着溝２０ａに装着するだけの簡易な組み立て工程によって、メッシュ径の異なる複数のメッシュを、キャップ本体１７に容易に組み込むことが可能になる。これらによって、混合された内容液と空気との混合物が、メッシュ径の異なる複数のメッシュを通過することが可能になって、きめの細かい、均質且つ良質の泡を形成することが可能になる。
【００２９】
また、本実施形態では、上段メッシュ部１４ａと下段メッシュ部１４ｂの前方に突出する台座部１５を備えており、この台座部１５は、泡形成パーツ１３がキャップ本体１７に装着された際に、ノズル部１６の折曲げヒンジ部１６ａによって覆われて、当該台座部１５の先端部分が、折曲げヒンジ部１６ａの中空内部に配置された状態となる（図６（ａ）参照）。これによって、図６（ａ）、（ｂ）に示すように、装着スカート部１９から上方にノズル部１６を立設させた、好ましくは上下抜き可能な金型成形品として形成されたキャップ本体１７のノズル部１６のノズル本体部１６ｂを（図６（ａ）参照）、好ましくは折曲げヒンジ部１６ａを加熱して柔らかくしてから、当該折曲げヒンジ部１６ａを曲折部として下方に回転させるようにして折り曲げる際に、台座部１５の先端部分が、折曲げヒンジ部１６ａを後方から支持することで、当該折曲げヒンジ部１６ａの後方への移動を制限することが可能になる。これによって、例えば台座部１５の先端部分が後方から当接する部分を基点として、折曲げヒンジ部１６ａをスムーズに且つ安定した状態で折り曲げさせることが可能になる。またこれによって、ノズル本体部１６ｂが斜め下方に向けて横方向に延設するキャップ本体１７を、好ましくは上下抜き可能な金型成形品から、容易に形成することが可能になる（図６（ａ）参照）。
【００３０】
なお、本発明は上記実施形態に限定されることなく種々の変更が可能である。例えば、キャップ本体は、上下抜き可能な金型成形品として形成されている必要は必ずしも無く、泡形成パーツは、前後抜き可能な金型成形品となっている必要は必ずしも無い。
【符号の説明】
【００３１】
１０  スクイズフォーマ用ノズル付きキャップ
１１  スクイズフォーマ容器
１２  容器本体
１２ａ  口首部
１２ｂ  胴部
１３  泡形成パーツ
１３ａ  メッシュ形成板
１３ｂ  支持ブラケット部
１３ｃ  矩形環状枠部
１３ｄ  中間補強枠部
１４ａ  上段メッシュ部
１４ｂ  下段メッシュ部
１５  台座部
１６  ノズル部
１６ａ  折曲げヒンジ部
１６ｂ  ノズル本体部
１７  キャップ本体
１８  混合室
１９  装着スカート部
１９ａ  天面部
２０  パーツ装着部
２０ａ  パーツ装着溝
２０ｂ  位置決め凹部
２０ｃ  切取り面
２１  混合器
２２  チューブホルダー
２３  支持台部
２５  ディップチューブ
【図１】
0005965669.tif 000002
【図２】
0005965669.tif 000003
【図３】
0005965669.tif 000004
【図４】
0005965669.tif 000005
【図５】
0005965669.tif 000006
【図６】
0005965669.tif 000007